(57)【要約】【課題】ファスナーの使用時にファスナーテープに突出して設けられた装飾用ビーズやストーン等の装飾部材に傷や損傷を受けにくいスライドファスナーを提供する。【解決手段】各々が外側及び内側の長手方向縁部分（３ａ，３ｂ）とその間の中間部分（３ｃ）とを有するファスナーテープ（３）を含むとともに、ファスナーテープ（３）に設けられた連結手段（４）を支承する２本の隣接するストリンガー（２）を包含するスライドファスナー（１）の各ストリンガー（２）は複数の装飾用ビーズ等の装飾部材（６）を備える。各ストリンガー（２）のファスナーテープ（３）の表面に装飾部材（６）を取り付ける時には、装飾部材（６）の上面に着脱可能なキャリアテープ（８）が貼り付けられ、装飾部材（６）の下面（６ａ）には、接着層（７）と着脱可能な保護用のカバーテープ（９）が貼り付けられ、ファスナーテープ（３）の表面に装飾部材（６）が取り付けられる。【選択図】図３
2011131049.tif 000002
【特許請求の範囲】
【請求項１】
各々が外側及び内側の長手方向縁部分（３ａ，３ｂ）と前記外側及び内側の長手方向縁部分（３ａ，３ｂ）の間の中間部分（３ｃ）とを有するファスナーテープ（３）を含むとともに、前記各ファスナーテープ（３）に設けられた個別の連結手段（４）を支承する２本の隣接するストリンガー（２）を包含し、前記各ストリンガー（２）が複数の装飾部材（６）を備える、スライドファスナー（１）において、
前記ファスナーテープ（３）の外側表面に複数の前記装飾部材（６）を備え、前記ファスナーテープ（３）の内側裏面に前記ストリンガー（２）を連結する連結手段（４）を備え、
前記複数の装飾部材（６）が、前記各ファスナーテープ（３）の前記中間部分（３ｃ）が形成された外側表面に取り付けられることを特徴とするスライドファスナー（１）。
【請求項２】
前記ファスナーテープ（３）の内側裏面に配設された前記ストリンガー（２）を連結する連結手段（４）は、ファスナーエレメントであり、前記各ファスナーテープ（３）の前記内側縁部分（３ｂ）がＵ字形に曲げられて前記ファスナーテープ（３）の内側裏面に折り返され、そのＵ字形に曲げられた前記ファスナーテープ（３）の外側面に取り付けられることを特徴とする請求項１に記載のスライドファスナー（１）。
【請求項３】
前記装飾部材（６）が接着層（７）により前記各ファスナーテープ（３）の前記中間部分（３ｃ）に取り付けられることを特徴とする請求項１に記載のスライドファスナー（１）。
【請求項４】
前記複数の装飾部材（６）が、前記各ファスナーテープ（３）の前記中間部分（３ｃ）の前記外側表面に取り付けられる個別のサポートテープ（５）によって支承されることを特徴とする請求項１に記載のスライドファスナー（１）。
【請求項５】
前記サポートテープ（５）が、前記ファスナーテープ（３）に熱で貼り付けられる熱溶着テープであることを特徴とする請求項４に記載のスライドファスナー（１）。
【請求項６】
前記各サポートテープ（５）が、少なくとも１本の長手方向列の装飾部材（６）を支承することを特徴とする請求項４又は５に記載のスライドファスナー（１）。
【請求項７】
前記スライドファスナー（１）が閉じられた時に、前記複数の装飾部材（６）が相互に隣接して延在するような構成であることを特徴とする請求項１〜６のいずれか１項に記載のスライドファスナー（１）。
【請求項８】
前記装飾部材（６）が装飾用ガラス、クリスタルガラスで製作されることを特徴とする請求項１〜７のいずれか１項に記載のスライドファスナー（１）。
【請求項９】
前記複数の装飾部材（６）が少なくとも１本のキャリアテープ（８）に着脱可能に貼り付けられて、前記キャリアテープ（８）と反対向きの個別の下面（６ａ）に個別の接着層（７）を備え、
前記複数の装飾部材（６）が前記ファスナーテープ（３）の前記中間部分（３ｃ）に貼り付けられ、いったん装着されると、前記少なくとも１本のキャリアテープ（８）が剥がされることを特徴とする請求項１〜３のいずれか１項に記載のスライドファスナー（１）の製造方法。
【請求項１０】
前記装飾部材（６）の前記接着層（７）に、前記接着層（７）を保護するカバーテープ（９）が着脱可能に設けられ、
前記カバーテープ（９）は、前記少なくとも１本のキャリアテープ（８）に支承された前記装飾部材（６）が前記ファスナーテープ（３）に貼り付けられる前に、前記接着層（７）から剥がされることを特徴とする請求項９に記載のスライドファスナー（１）の製造方法。
【発明の詳細な説明】
【技術分野】
【０００１】
本発明は、装飾用ビーズ又はストーン等の装飾部材を備えるスライドファスナー又はジッパーに関連する。
【０００２】
より詳しく述べると、本発明は、各々が外側及び内側の長手方向縁部分とその間の中間部分とを有する可撓性のあるファスナーテープを含むとともに各ファスナーテープに設けられた連結手段を支承する２本の隣接するストリンガーを包含して、各ストリンガーが各々のストリンガーの表面に複数の装飾部材を備えるスライドファスナーに関連する。
【背景技術】
【０００３】
装飾用ビーズやストーンが設けられたスライドファスナー又はジッパーは、当該技術分野では周知であり、例えば特許文献１及び２に開示されている。
【０００４】
これらの先行技術に記載されたスライドファスナーには、ファスナーテープに射出成形されたプラスチック製の歯を備えるストリンガーが開示されている。装飾用ビーズや装飾用ストーン、例えばレッドクリスタルビーズが、ファスナーテープに連結歯が射出成形されると同時に連結歯の上側表面に成形される。
【０００５】
このようなスライドファスナーでは、連結歯に組み込まれたビーズやストーンがファスナーのスライダーの開閉操作により使用時にダメージを受けることがある。さらに、先行技術に記載されたスライドファスナーでは、長年衣類等を使用していると傷や損傷を受けたビーズやストーンが目に付きやすくなる、あるいは光沢が落ちていくことも考えられる。
【先行技術文献】
【特許文献】
【０００６】
【特許文献１】米国特許第５，５１１，２９２号明細書
【特許文献２】米国特許第５，５８８，１８５号明細書
【発明の概要】
【発明が解決しようとする課題】
【０００７】
本発明の目的は、ファスナーの使用時にファスナーテープに突出して設けられた装飾用ビーズやストーン等の装飾部材に傷や損傷を受けにくいスライドファスナーを提供することである。
【課題を解決するための手段】
【０００８】
各ファスナーテープの内側縁部分がＵ字形に曲げられてファスナーテープ内側裏面に折り返されそのＵ字形に曲げられたファスナーテープの外側面に連結歯となる連続したコイルエレメントが取り付けられている。衣類等でのファスナー使用時には、ファスナーテープの外側表面からテープの内側裏面に配設された連結歯が見えにくくなっている。各ファスナーテープの外側表面にそれぞれ複数の装飾用ビーズやストーン等の装飾部材が取り付けられることを特徴とするスライドファスナーによって、この本発明の目的が達成される。現時点で好適な実施形態では、接着層により各ファスナーテープの表面にこのビーズが取り付けられる。
【０００９】
別の実施形態では、各ファスナーテープの中間部分が形成された外側表面に取り付けられる各々のサポートテープに複数のビーズが支承される。
【００１０】
本発明はまた、上述した実施形態のファスナーテープの表面に装飾用ビーズや装飾用ストーン等の装飾部材を取り付けるスライドファスナーの製造方法にも関連する。
【発明の効果】
【００１１】
本発明の装飾部材を備えるスライドファスナー及びその製造方法によれば、ファスナーテープに突出して設けられる装飾用ビーズやストーン等の装飾部材に、スライダーの開閉操作による傷や損傷が発生するのを防止することができる。
【図面の簡単な説明】
【００１２】
非限定的な例としてのみ設けられた添付の図を参照すると、以下の詳細な説明から本発明のさらなる特徴及び長所が明らかとなるだろう。
【図１】本発明によるスライドファスナーの一部分の正面図である。
【図２】図１に示されたスライドファスナーの側面図である。
【図３】図１及び図２によるスライドファスナーの製造方法の段階又はステップを示す断面図である。
【図４】図１のＩＶ−ＩＶ線における断面図である。
【図５】本発明による別のスライドファスナーの正面図である。
【図６】図５に示されたスライドファスナーの側面図である。
【図７】図５のＶＩＩ−ＶＩＩ線における断面図である。
【発明を実施するための形態】
【００１３】
図１を参照すると、本発明によるスライドファスナー１は、例えば、織物や編物、布地で製作される一対の可撓性のあるファスナーテープ３を含む対向する２本のストリンガー２を包含する。
【００１４】
スライドファスナー１は、各々のファスナーテープ３に荷重、引張力が作用してもファスナーテープ３同士が離れにくくファスナーテープ３の裏側、裏面となる内側裏面に設けられた連結歯４（ファスナーエレメント４）が見えにくくなっている。ファスナーテープ３の表側となる外側表面からファスナーエレメント４が見えないタイプのスライドファスナーである「コンシール」はＹＫＫ株式会社の登録商標である。
【００１５】
各ファスナーテープ３は、ファスナーテープ３の長手方向に沿って、衣類等に縫製される外側縁部分３ａと、内側縁部分３ｂと、その外側縁部分３ａと内側縁部分３ｂの間の中間部分３ｃとを有する（特に図３及び図４を参照）。
【００１６】
各ファスナーテープ３の内側縁部分３ｂはＵ字形に曲げられて内側に折り返され、そのＵ字形に曲げられたファスナーテープ３の外側面には、ファスナーテープ３の長手方向に沿って連続した連結歯となるコイルエレメント４が取り付けられている。すなわち、ファスナーテープ３の内側となる裏面にコイルエレメント４が設けられている。ファスナーテープ３の裏面に設けられた連結歯４はコイルエレメント４に限られることはなく、ファスナーテープ３上に射出成形されファスナーテープ３の長手方向に複数離間して取り付けられた樹脂製エレメントや、ファスナーテープ３の長手方向に複数離間して金属製エレメントを取り付けることも可能である。
【００１７】
各ファスナーテープ３の中間部分３ｃが形成されたファスナーテープ３の外側表面には、レッドクリスタルビーズなどの複数の装飾用ビーズ６が装着されている。すなわち、ファスナーテープ３の外側となる表面に装飾用ビーズ６が設けられている。装飾部材６である装飾用ビーズ６や装飾用ストーン６には、例えば、カリウム、ソーダ灰といったガラスの主成分に酸化鉛を添加した鉛ガラスや、チタン化合物や他の化合物をガラスに添加した無鉛クリスタルガラスで形成され、無色や赤、青といった透明度と光の屈折率を持った輝きがある装飾用ガラス（クリスタルガラス）を使用している。一般的に酸化鉛がガラス全体の２４％を超えるとレッドクリスタルと呼ばれている。
【００１８】
この構成は、図１に示すように、図示されていないスライダーが摺動し、ファスナーが閉じられると、各々のファスナーエレメント４が噛み合い、ファスナーテープ３上の複数の装飾用ビーズ６が相互に隣接してファスナーテープ３の長手方向に沿って列を形成し延在している。
【００１９】
複数の装飾用ビーズ６の各々が少なくとも一方のファスナーテープ３の長手方向に沿って長手方向列に配設されることが好ましい。
【００２０】
一方のファスナーテープ３に配設された複数の装飾用ビーズ６は、他方のファスナーテープ３に配設された複数の装飾用ビーズ６に対して長手方向に互い違いであってもよい。
【００２１】
各ファスナーテープ３の中間部分３ｃが形成された外側表面には、接着層７により装飾用ビーズ６が取り付けられる。複数の装飾用ビーズ６は、ファスナーテープ３の長手方向に沿って一列となって長手方向列に配設されるだけではなく、ファスナーテープ３の外側表面に曲線状の列や、文字、記号、図形、あるいは模様を構成する様々な形状となるように取り付けることもできる。
【００２２】
現時点で好適な製造プロセスでは、例えば、図３に示すように、左右両側の各ファスナーテープ３に対応して左右に並んだ、また、各ファスナーテープ３の長手方向に沿って外側表面に並んだ装飾用ビーズ６をファスナーテープ３に取り付けるにあたって、複数の装飾用ビーズ６の上面には、剥離可能な接着剤により少なくとも１本のキャリアテープ８（図３参照）、例えば一般的に市販されている紙のキャリアテープ８が着脱可能に貼り付けられている。キャリアテープ８と反対のそれぞれの装飾用ビーズ６の下面６ａにおいて、各装飾用ビーズ６は個別の強力な接着層７（図３及び図４参照）を備えている。
【００２３】
複数の装飾用ビーズ６は、キャリアテープ８によりそれらの相対位置が維持された状態で、ファスナーテープ３の中間部分３ｃが形成されたファスナーテープ３の外側表面に貼り付けられる。装飾用ビーズ６がファスナーテープ３に装着されると、キャリアテープ８が取り外される。キャリアテープ８は、図３に示すように、左右両側の各ファスナーテープ３に取り付ける装飾用ビーズ６の上面に１本のキャリアテープ８が設けられているが、各ファスナーテープ３の外側表面に形成される曲線状の列や、文字、記号、図形、あるいは模様を構成する様々な形状の装飾用ビーズ６の配列に応じて、キャリアテープ８の本数や長さ、形状を変更することも可能である。
【００２４】
キャリアテープ８に支承された装飾用ビーズ６がファスナーテープ３に貼り付けられる直前に取り外されるように、保護用の着脱可能なカバーテープ９（図３に点線で示されている）が装飾用ビーズ６の接着層７に設けられている。
【００２５】
図５〜図７に示された別の実施形態では、複数の装飾用ビーズ６を永久的に支承する個別のサポートテープ５が、各ファスナーテープ３の中間部分３ｃが形成されたファスナーテープ３の外側表面に取り付けられている。
【００２６】
この構成では、図５に示すように、ファスナー１が閉じられると、サポートテープ５が相互に隣接して、サポートテープ５がファスナーテープ３の長手方向に沿って列を形成し延在している。
【００２７】
サポートテープ５は、熱溶着できるものが望ましく、個別のファスナーテープ３の中間部分３ｃが形成されたファスナーテープ３の外側表面に熱で貼り付けられる。
【００２８】
ファスナーテープ３に取り付けられたサポートテープ５は、互いに個別に製造されても、２組の装飾用ビーズを備える単一テープを切断することによって設けられてもよい。このようなテープは、スライドファスナーのテープ３に貼り付けられる前又は後に切断されるとよい。サポートテープ５は、各ファスナーテープ３の外側表面に形成される曲線状の列や、文字、記号、図形、あるいは模様を構成する様々な形状の装飾用ビーズ６の配列に応じて、本数や長さ、形状を変更することも可能である。
【００２９】
本発明によるスライドファスナー１では、ストリンガー２のファスナーエレメント４を嵌合／開離させるために使用されるスライダーによって装飾用ビーズ６がダメージを受けることはない。
【００３０】
さらに、本発明によるスライドファスナーでは、スライダー及びファスナーエレメント４がファスナーテープ３の裏面に設けられており、使用状態では、図１や図３に示すように、各ストリンガー２の内側が対面し隙間がほぼ無い状態であることから、ファスナーテープ３の外側表面からスライダー及びファスナーエレメント４がほぼ見えない。
【００３１】
添付の請求項に規定された本発明の範囲を逸脱せずに、本発明の原理はそのままにして、実施形態及び構造の詳細が、純粋に非限定的な例として説明及び図示されたものから大きく変更されてもよいことは言うまでもない。
【符号の説明】
【００３２】
１    スライドファスナー
２    ストリンガー
３    ファスナーテープ
３ａ  外側縁部分（外側長手方向縁部分）
３ｂ  内側縁部分（内側長手方向縁部分）
３ｃ  中間部分
４    連結歯（連結手段、ファスナーエレメント、コイルエレメント）
５    サポートテープ
６    装飾用ビーズ（装飾部材）
６ａ  装飾用ビーズの下面
７    接着層
８    キャリアテープ
９    カバーテープ
【図１】
2011131049.tif 000003
【図２】
2011131049.tif 000004
【図３】
2011131049.tif 000005
【図４】
2011131049.tif 000006
【図５】
2011131049.tif 000007
【図６】
2011131049.tif 000008
【図７】
2011131049.tif 000009